(57)【要約】【課題】フェンス本体の前後どちらの面でも内外に向けても設置でき、意匠性の向上（パターンが本体１個ごとであったものを複数の組合わせにすることができ、意匠を多様化する）を図る。フェンス本体を脚本体に強固に係止・固定する。【解決手段】フェンス本体１１の下枠部１２を、脚本体１５と該脚本体１５にネジ止めして前記下枠部１２を挟持するクランプ部材１６とからなるフェンス２０の支持装置である。下枠部１２の面外方向の両面にクランプ部材１６との係合部を設けた。下枠部１２の係合部には、下枠部凸部１２ｂが形成される。また、クランプ凸部１６ａに対応するクランプ凹部１６ｂをクランプ部材に形成する。フェンス本体１１の前後面を表裏共通形状とする。【選択図】  図１
2004285768.tif 000002
【特許請求の範囲】
【請求項１】
フェンス本体の下枠部を、脚本体と該脚本体にネジ止めして前記下枠部を挟持するクランプ部材とからなるフェンスの支持装置において、前記下枠部の面外方向の両面に、略同形状のクランプ部材との係合部を設けたことを特徴とするフェンスの支柱装置。
【請求項２】
前記下枠部の係合部は、凸部が形成されていることを特徴とする請求項１記載のフェンスの支柱装置。
【請求項３】
前記下枠部の係合部は、凹部が形成されていることを特徴とする請求項１記載のフェンスの支柱装置。
【請求項４】
前記下枠部の係合部を構成する凸部又は凹部に対応する凹部又は凸部をクランプ部材に形成したことを特徴とする請求項２又は請求項３記載のフェンスの支柱装置。
【請求項５】
フェンス本体の前後面を表裏共通形状とし、且つ、その下枠部の内外の両面に、略同形状のクランプ部材との係合部を設けたことを特徴とするフェンス。
【請求項６】
フェンス本体の左右端の縦長さを違えたことを特徴とする請求項５記載のフェンス。
【発明の詳細な説明】
【０００１】
【発明が属する技術分野】
本発明は、フェンスの支柱装置及びフェンスに関し、特にフェンスの支持構造及び模様形状に関するものである。
【０００２】
【従来の技術】
従来、鋳物フェンスの立設装置は種々提案されている（特許文献１乃至特許文献４）。例えば、特許文献１及び特許文献２では、固定柱材にクランプ部材を用いてフェンスの下端枠部を固定ボルトを用いて挟持・固定する構造が示されている。また、特許文献３には、固定座に形成された凹所に欄干の条座をネジ止めした構成が示され、特許文献４には、フェンスパネル本体の下部に形成された凸状のスライド溝がベース上に形成された凹状のレールに嵌合されるフェンスが示されている。
【０００３】
上記文献の内、例えば、特許文献１に記載のフェンスの倒れ防止機能について図３及び図４を用いて説明する。図４は、従来技術に係るフェンス全体の説明図、図５は同従来技術のフェンス支持装置の説明図である。図４に示すように、フェンス１０は、複数のフェンス本体１の連結体からなり、フェンス本体１同子はフェンス本体１に穿設されたボルト孔１ａとボルト孔１ａとが連結金具３を介して連結ボルト４により連結されている。
【０００４】
フェンス本体１の下枠部２は脚本体５とクランプ部材６とによって、保持・固定される。即ち、下枠部２の下部の一側（道路側）には下枠部凹部２ａと下枠部凸部２ｂとが形成され、また、クランプ部材６の一側（下枠部２当接側・家側）には、上記下枠部凹部２ａと下枠部凸部２ｂとに対応する形状でクランプ凸部６ａとクランプ凹部６ｂとが形成され、図５に示すように、脚本体５の外側（道路側）にフェンス本体１の下枠部２を当接させ、締付穴５ａに平座金７を介し、締付ボルト８を挿通してクランプ部材６を締め付けることにより、下枠部２を保持・固定するように構成している。
【０００５】
しかしながら、上記公知技術によれば、フェンス本体１は、フェンス１０内側とフェンス１０外側とが予め区分されていることから、反転して取り付けることはできなかった。その為、フェンスの左右非対称の形状（意匠）のものは、左右勝手が発生することから対称形状のものしか存在しなかった。
【０００６】
また、特許文献４に記載のものでは、フェンスパネル本体の前後は反転させることができるものの、上方から装着できず、側方からスライドさせる必要があることから、その設置時の取扱性に欠けるところがあった。
【０００７】
【特許文献１】
実開平６−１６６５４号公報
【０００８】
【特許文献２】
実開昭６０−５８７５９号公報
【０００９】
【特許文献３】
登録実用３０２０９４５号公報
【００１０】
【特許文献４】
特開平９―３１７２５８号公報
【００１１】
【発明が解決しようとする課題】
したがって、本発明の課題は、フェンスの支持装置において、フェンス本体の両面の利用を可能とし、左右勝手をなくして意匠性の向上（多様化）を図ることができるようにするものである。
【００１２】
【課題を解決するための手段】
上記課題を達成するために、本発明は、以下の手段を講じた。
【００１３】
請求項１記載のフェンスの支柱装置は、フェンス本体の下枠部を、脚本体と該脚本体にネジ止めして前記下枠部を挟持するクランプ部材とからなるフェンスの支持装置において、前記下枠部の面外方向の両面に、略同形状のクランプ部材との係合部を設けたことを特徴とする。
【００１４】
請求項２記載のフェンスの支柱装置は、請求項１記載のフェンスの支柱装置において、前記下枠部の係合部は、凸部が形成されていることを特徴とする。
【００１５】
請求項３記載のフェンスの支柱装置は、請求項１記載のフェンスの支柱装置において、前記下枠部の係合部は、凹部が形成されていることを特徴とする。
請求項４記載のフェンスの支柱装置は、請求項２又は請求項３記載のフェンスの支柱装置は、前記下枠部の係合部を構成する凸部又は凹部に対応する凹部又は凸部をクランプ部材に形成したことを特徴とする。
【００１６】
請求項５記載のフェンスは、フェンス本体の前後面を表裏共通形状とし、且つ、その下枠部の内外の両面に、略同形状のクランプ部材との係合部を設けたことを特徴とする。
請求項６記載のフェンスは、請求項５記載の鋳物フェンスにおいて、フェンス本体の左右端の縦長さを違えたことを特徴とする。
【００１７】
この手段により、フェンス本体は表裏共通の形状にしたことで、脚本体への取付部を裏表どちらでも取付可能とした。
【００１８】
【発明の実施の形態】
以下、本発明の実施形態を図面を用いて説明する。図１は実施形態に係るフェンスの支持装置の要部説明図で、図３のＢ部拡大図、図２は同実施形態に係るフェンスの正面図、図３は図２のＡ部で、同実施形態に係るフェンスの支持装置の説明図である。なお、本発明の実施形態として、フェンスは鋳物フェンスが好適であるので、鋳物フェンスの場合について説明する。
【００１９】
図２に示すように、鋳物フェンス（以下、「フェンス」と略称する）２０は、複数のフェンス本体１１の連結体からなり、隣接するフェンス本体１１とフェンス本体１１は従来例と同様の手段により連結されている。なお、フェンス本体１１の材質等は従来のものと相違ないが、その形状・模様は左右対称とする必要はない。例えば、フェンス本体１１の両端部の上下長（縦長）は、その施工方法にもよるが、左右が相違していてもよい。
【００２０】
フェンス本体１１の下枠部１２は、図３に示すように、脚本体１５とクランプ部材１６とによって保持・固定される。即ち、下枠部１２の下部の前後両側（家側及び道路側）には下枠部凹部１２ａと下枠部凸部１２ｂとが形成される。また、クランプ部材１６の一側（家側）には、上記下枠部凹部１２ａと下枠部凸部１２ｂとに対応する形状でクランプ凸部１６ａとクランプ凹部１６ｂとが形成され、図１，３に示すように、脚本体１５のフェンス内側にフェンス本体１１の下枠部１２を当接させ、締付穴１５ａに平座金１７を介して締付ボルト１８を挿通し、クランプ部材１６を締め付けることにより、下枠部１２を保持・固定するように構成している。
なお、下枠部１２の上記下枠部凹部１２ａと下枠部凸部１２ｂとは下枠部１２の全長に設ける必要はなく、下枠部１２の一部であっても良い。また、下枠部１２は、フェンス本体１１自体の下枠部１２でもよいが、フェンス本体１１に脚本体１５に装着するための支持柱（図外）が形成されている場合には、その支持柱の下部でもよい。
【００２１】
上記構成により、従来のフェンスはフェンス本体１１の内外面を共用することはできず、左右連結部の高さを同じとする必要があり、左右の高さを変えると２個（右勝手、左勝手）作る必要があったが、本発明のように、両面共、内外面に使えるようにしたことで、１個のフェンス本体１１で兼用ができ、少ない種類で多くの模様パターンとすることができる。
【００２２】
また、従来、フェンス本体１１の左右連結部の高さが同じでも、模様が左右対称でないときは、右勝手或いは左勝手を製造する必要があったが、本発明によれば、その模様が左右が非対称であっても、フェンス本体１１の前後面を選択（一方を反転して模様が対称となるように選択する。）することで兼用できる。
【００２３】
なお、下枠部１２の下枠部凹部１２ａと下枠部凸部１２ｂに対応する脚本体１５側の面を、図１に示すような平面形状ではなく、下枠部凹部１２ａと下枠部凸部１２ｂに対応する凸凹形状とすれば、脚本体１５に強固に係止・固定できる。
【００２４】
【発明の効果】
本発明は、上記構成により、フェンス本体の両面を内外どちらに向けても設置でき（両面利用可能）、このことにより、左右勝手をなくし、フェンス本体の右用、左用を兼用させることで、パターンが本体１個ごとであったものを複数の組み合せにすることができ、意匠の多様化をはかることができ、デザインの領域を広げることができる（意匠性の向上）。
【図面の簡単な説明】
【図１】本発明の実施形態に係るフェンスの支持装置の要部説明図（図３のＢ部拡大図）。
【図２】同実施形態に係るフェンスの正面図。
【図３】図２のＡ部で、同実施形態に係るフェンスの支持装置の説明図。
【図４】従来技術のフェンス全体の説明図。
【図５】同従来技術のフェンス支持装置の説明図。
【符号の説明】
１・・フェンス本体        １ａ・・ボルト孔
２・・フェンス下枠部      ２ａ・・下枠部凹部    ２ｂ・・下枠部凸部
３・・連結金具  ４・・連結ボルト    ５・・脚本体      ５ａ・・締付穴
６・・クランプ部材    ６ａ・・クランプ凸部  ６ｂ・・クランプ凹部
７・・平座金          ８・・締付ボルト      １０・・フェンス（従来技術）
１１・・フェンス本体            １２・・下枠部
１２ａ・・下枠部凹部（係合部）    １２ｂ・・下枠部凸部（係合部）
１５・・脚本体          １５ａ・・締付穴
１６・・クランプ部材    １６ａ・・クランプ凸部  １６ｂ・・クランプ凹部
１７・・平座金          １８・・締付ボルト    ２０・・フェンス（本発明）
【図１】
2004285768.tif 000003
【図２】
2004285768.tif 000004
【図３】
2004285768.tif 000005
【図４】
2004285768.tif 000006
【図５】
2004285768.tif 000007